(57)【要約】【課題】ワープ通路の強度向上を図り得る弾球遊技機を提供する。【解決手段】遊技盤ベース１１の表側の遊技領域Ａを転動流下する遊技球を裏側へと転動案内し、該案内された遊技球を遊技盤ベース１１の裏側の遊技領域Ｂで転動させた後に遊技盤ベース１１の表側の遊技領域に排出するワープ通路２４を備え、前記ワープ通路２４は、該通路内を通過する遊技球の衝撃を緩和する衝撃緩和構造を有し、衝撃緩和構造は、通路の外面に、通路方向に連続した凹溝３５を設けた凹凸構造とした。【選択図】    図４
2006087575.tif 000002
【特許請求の範囲】
【請求項１】
遊技盤ベースの表側の遊技領域を転動流下する遊技球を裏側へと転動案内し、該案内された遊技球を遊技盤ベースの裏側の遊技領域で転動させた後に遊技盤ベースの表側の遊技領域に排出するワープ通路を備え、
前記ワープ通路は、該通路内を通過する遊技球の衝撃を緩和する衝撃緩和構造を有することを特徴とする弾球遊技機。
【請求項２】
衝撃緩和構造は、通路の外面に設けた凹凸構造であることを特徴とする請求項１に記載の弾球遊技機。
【請求項３】
凹凸構造が、遊技盤ベースの裏面に対向する通路外面に設けられ、該凹凸構造の凸部が、遊技盤ベースの裏面に接触することを特徴とする請求項２に記載の弾球遊技機。
【請求項４】
凹凸構造は、通路の外面に一体成形されていることを特徴とする請求項２又は３に記載の弾球遊技機。
【請求項５】
凹凸構造は、通路方向に連続して延設されていることを特徴とする請求項２乃至４のいずれかに記載の弾球遊技機。
【請求項６】
凹凸構造の凹部に対向する通路の内面にリブを設けたことを特徴とする請求項２乃至５のいずれかに記載の弾球遊技機。
【請求項７】
遊技盤ベースが透光性部材からなることを特徴とする請求項１乃至６のいずれかに記載の弾球遊技機。
【請求項８】
ワープ通路が透光性部材からなることを特徴とする請求項７に記載の弾球遊技機。
【請求項９】
ワープ通路の凹凸構造は、意匠的な装飾を外面に施していることを特徴とする請求項８に記載の弾球遊技機。
【発明の詳細な説明】
【技術分野】
【０００１】
本発明は、ワープ通路を備えた弾球遊技機に関する。
【背景技術】
【０００２】
弾球遊技機（いわゆるパチンコ機）は、発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や遊技球誘導部材（例えばステージや天通路等）などにより遊技球が転動しつつ流下し、所定の入賞口に遊技球が入賞することで所望な演出がなされ、かつ賞球を得ることにより遊技を楽しむものである。
【０００３】
弾球遊技機の遊技性が各機種様々である昨今、弾球遊技機の遊技の意外性・面白みに対する遊技者ニーズが高まっている。
そこで、遊技盤の遊技領域に打ち出された遊技球の動きに面白みを与えることで遊技の興趣を向上させようとする弾球遊技機が提供されている。
従来、遊技盤内にワープ通路を設け、遊技球の流路に変化をもたせることで遊技の興趣の向上を図った遊技機があった。
この種の遊技機におけるワープ通路は、遊技盤ベースの表側の遊技領域を転動流下する遊技球を遊技球受入口から入球し、該受入口から入球された遊技球を、該受入口と離れた排出口から再び前記遊技領域へと排出させるもので、通常の遊技球の転動とは異なる遊技球の転動の行方に遊技者の注目を傾けさせることで遊技の興趣を向上させている（特許文献１参照）。
【特許文献１】特開２００３−２２５３８３号公報
【発明の開示】
【発明が解決しようとする課題】
【０００４】
このようなワープ通路は、遊技球が接触しながら頻繁に通過する部分であるため通路への衝撃が掛かり易く、通路の強度向上が望まれているものである。
また、ワープ通路は、遊技領域を流下する遊技球が接触する遊技部材でもあるので遊技盤ベースに安定して固定される必要がある。
しかし、従来のワープ通路にあっては、単に遊技球が通過可能な通路であって、特にその強度向上を図る手段を講じてはいなかった。
本発明は、このような問題を解決するためになされており、その目的とするところは、ワープ通路の強度向上を図り得る弾球遊技機を提供することにある。
【課題を解決するための手段】
【０００５】
このような目的を達成するために、第１の発明は、遊技盤ベース１１の表側の遊技領域Ａを転動流下する遊技球を裏側へと転動案内し、該案内された遊技球を遊技盤ベース１１の裏側の遊技領域Ｂで転動させた後に遊技盤ベース１１の表側の遊技領域Ａに排出するワープ通路２４を備え、前記ワープ通路２４は、該通路内を通過する遊技球の衝撃を緩和する衝撃緩和構造を有することを特徴とする弾球遊技機としたことである。
本発明によれば、遊技球が接触しながら頻繁に通過する部分であるワープ通路２４への衝撃を緩和し、ワープ通路２４の強度を向上してワープ通路２４の損傷を防止する。
【０００６】
第２の発明は、第１の発明において、衝撃緩和構造は、通路２４の外面３４ａに設けた凹凸構造であることを特徴とする弾球遊技機としたことである。
本発明によれば、通路外面３４ａの凹凸構造がリブの役割を果たし、遊技球の接触による衝撃を緩和するため、ワープ通路２４の強度が増す。また、凹凸構造の凹部（凹溝）３５が遊技球の通過・衝撃時の球圧力を吸収して逃がす（撓む）ことが出来る。
【０００７】
第３の発明は、第２の発明において、凹凸構造が、遊技盤ベース１１の裏面に対向する通路外面３４ａに設けられ、該凹凸構造の凸部（凹溝）３５が、遊技盤ベース１１の裏面に接触することを特徴とする弾球遊技機としたことである。
本発明によれば、遊技盤ベース１１との接触面積が増え、ワープ通路２４を安定して設置することが可能となる。
【０００８】
第４の発明は、第２又は第３の発明において、
凹凸構造は、通路外面３４ａに一体成形されていることを特徴とする弾球遊技機としたことである。
本発明によれば、凹凸構造を新たに別途設けることがなく部品コスト・製造コストの削減となる。
【０００９】
第５の発明は、第２乃至第４のいずれかの発明において、凹凸構造は、通路方向に連続して延設されていることを特徴とする弾球遊技機としたことである。
本発明によれば、通路方向に凸部が連続して存するためリブとしての上述した作用効果が通路全体にわたって設けられると共に、通路方向に凹部（凹溝）３５が連続して存するため球圧力の衝撃吸収緩和としての上述した作用効果が通路全体にわたって設けられる。
【００１０】
第６の発明は、第２乃至第５のいずれかの発明において、凹凸構造の凹部（凹溝）３５に対向する通路の内面３４ｂにリブ３６を設けたことを特徴とする弾球遊技機としたことである。
本発明によれば、リブ３６に球が衝撃した時に、凹部方向に撓む余地があり、球圧力を逃がすことが出来る。
【００１１】
第７の発明は、第１乃至第６のいずれかの発明において、遊技盤ベース１１が透光性部材からなることを特徴とする弾球遊技機としたことである。
本発明によれば、遊技盤ベース１１を透光性部材で形成したため、遊技球通過による衝撃を緩和しつつワープ通路が遊技者から視認できる。
【００１２】
第８の発明は、第７の発明において、ワープ通路２４が透光性部材からなることを特徴とする弾球遊技機としたことである。
本発明によれば、ワープ通路２４内を通過する遊技球の転動流下態様が遊技者側から視認できる。
【００１３】
第９の発明は、第８の発明において、ワープ通路２４の凹凸構造は、意匠的な装飾を外面に施していることを特徴とする弾球遊技機としたことである。
本発明によれば、衝撃緩和構造としての凹凸構造が、遊技球の衝撃を緩和する作用効果と共に、意匠的な装飾効果を施す。従って、単なるワープ通路２４の通路形状が遊技者側から視認されるのではなく、意匠的な装飾効果のある凹凸構造によって遊技機全体の美的外観を向上させることができる。
【発明の効果】
【００１４】
本発明によれば、ワープ通路の強度を向上した弾球遊技機を提供できる。
【発明を実施するための最良の形態】
【００１５】
以下、本発明の一実施形態について説明する。なお、本実施形態は本発明の一例にすぎずなんらこれに限定解釈されるものではなく、本発明の範囲内で設計変更可能である。
【実施例１】
【００１６】
図１及び図２は、本発明を適用した弾球遊技機（パチンコ機ともいう）の一例であり、弾球遊技機は、遊技盤ベース１１に種々の遊技部材を備えて構成した遊技盤１０と、該遊技盤１０の裏側には遊技に関する表示を行うための表示装置８と、該遊技盤１０と表示装置８との間に組み込まれて、遊技盤１０に表示装置８が直接接触しないように構成する図１１及び図１２に示すスペーサ９とを備えて構成されている。なお、スペーサ９には裏通路部材４１が組み込まれている。
【００１７】
弾球遊技機は、外枠１の前面に内枠（ベースドア）２が回動自在に軸支され、該内枠２の背後には表示装置８が嵌装されていると共に、該内枠２の前面には遊技盤１０が着脱自在に装着されている。そして該内枠２の前面には、ガラス板４を嵌めたフロント扉３が回動自在に軸支されている。
前記内枠２の前面下部には、貸球及び賞球を受け止める上皿５、上皿５満杯時に球出口の内方で溢れた球を受け止める下皿６、そして発射装置のハンドル７を備える。
そして前記ハンドル７のレバー７ａを時計方向に回転させることにより、例えば内蔵する発射ソレノイドを作動させて遊技球を表側の遊技領域Ａに打ち出すことができる。
【００１８】
表示装置８は、例えば、正面から見て、横方向の三列にわたって数字、記号等の識別情報からなる特別図柄（左特別図柄・中特別図柄・右特別図柄）を変動表示させたり、特別図柄の変動表示に併せて所定のキャラクタ画像や背景画像による演出表示等を行ったりする液晶表示装置（ＬＣＤ：Liquid Crystal Display）や、投影機からの動画又は静止画を、反射板で屈折して表示させる投影型画像表示装置も対象で、特に限定されず本発明の範囲内で種々の表示装置が適用される。
前記表示装置８の大きさなど特に限定はされないが、本実施例では、２０インチの大型ＬＣＤを用いており、後述するように透光性部材からなる本実施例の遊技盤ベース１１を介して表側の遊技領域Ａに広く液晶表示による演出表示を付与し、遊技性・装飾性などを向上させるものとしている。
なお、本発明は、表示装置８を備えない弾球遊技機も対象である。
【００１９】
遊技盤１０は、図３及び図４に示すように、遊技盤ベース１１と、該遊技盤ベース１１に備えられる各種遊技部材とで構成されている。
【００２０】
遊技盤ベース１１は、例えば本実施例では、その遊技盤ベース１１全体を透光性部材（透明部材）で形成して裏側が視認可能とすると共に、各種遊技部材を取り付ける貫通した各取付孔を設けている。
【００２１】
遊技盤ベース１１を形成する透光性部材は、例えば、各遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂、ポリアリレート樹脂などが任意に選択される。また、樹脂以外の材質、例えばガラスなどを採用することも本発明の範囲内であり設計変更可能である。
遊技盤ベース１１の全体を構成する透光性部材は無色透明とするが、有色透明部材を採用することも可能である。また仕様によっては遊技盤ベース１１を無色透明部材と有色透明部材とで構成したり、遊技盤ベース１１に色彩・模様を施すことも可能であり、表示装置８による演出に悪影響を及ぼさない範囲内で設計変更可能である。この場合、模様は無色透明の線図が好ましいが、遊技盤ベース１１の裏面側に配設される表示装置８の構成によっては有色模様を施すことも可能である。
また、遊技盤ベース１１は、透光性部材で形成した領域を少なくとも一部に有するもので、該透光性部材で形成した領域を介して裏側に配設される表示装置が臨む構成とするものでもよい。
なお、本発明では、遊技盤ベース１１を非透光性部材からなるものとしてもよく特に限定はされない。
【００２２】
遊技部材は、弾球遊技機において遊技に必要な全ての部材を言い、例えば、図３及び図４に示すように、表側の遊技領域Ａを区画すると共に、該表側の遊技領域Ａに発射ソレノイドから打ち出される遊技球を導くガイドレール１２や、表側の遊技領域Ａを転動する遊技球が当たり、遊技球の流下方向（図６の矢印Ｆ１方向）を転動案内する湾曲板状の遊技球誘導板（天通路ともいう）３３、前記表示装置の変動表示を起動すると共に、大当たりとするか否かの抽選処理を起動するチューリップ式の普通電動役物からなる始動入賞口１３、大当たり時に開放するアタッカと称する特別電動役物の大入賞口１４、一般入賞口となる左右の入賞口１５などの入賞装置、遊技球を通過可能に構成し、該遊技球の通過を検知してその検知信号を図示しない制御部へと送る通過ゲート４２、遊技領域での入賞を逃したアウト球を排出するアウト口１６、遊技盤ベース１１に打たれている図示しない多数の遊技釘、そして表側の遊技領域Ａを転動流下する遊技球を裏側の遊技領域Ｂに転動案内させた後、再度表側の遊技領域Ａに排出するワープ通路（ワープ装置ともいう）２４などが一例として挙げられる。また、特に限定されるものではないが、本実施例では、これら遊技部材の全てを透明部材で形成している。
【００２３】
本発明は、上述のとおりの各構成部分を有するが、本発明はワープ装置２４の構造に特徴的な構成を有するため、以下、そのワープ装置２４の構造を中心に説明し、その他の構成部分についての説明は上述の説明に留め、本発明の範囲内で設計変更可能である。
なお、本発明に適用可能なワープ装置は本実施例のワープ装置２４に限定解釈されるものではなく、本発明の範囲内で他の構成に設計変更可能である。
【００２４】
ワープ装置２４は、図４，図６乃至図１０及び図１２乃至図１８に示すように、遊技盤ベース１１の表側の遊技領域Ａを転動流下する遊技球を受け入れる遊技球受入口２５と、該遊技球受入口２５と連通する遊技盤ベース１１の貫通口の排出側に連通し、該貫通口排出側から遊技盤ベース１１の裏側の遊技領域Ｂにて、該遊技盤ベース１１の左右方向の略全域にわたる長さに延設される裏側通路２６と、該裏側通路２６から排出された遊技球を受けて転動案内する裏側ステージ２７と、遊技盤ベース１１の表側に貫通して形成し、前記裏側ステージ２７を転動する遊技球を遊技盤ベース１１の表側の遊技領域Ａに排出する排出口２８とからなる。
【００２５】
遊技球受入口２５は、図２及び図３に示すように、遊技盤ベースの表側の遊技領域Ａの表面を水平方向に二分した上方の領域Ｔの上部略中央位置にて横方向に湾曲状に延設すると共に前方に突出して備えた天通路３３の最も高い位置（頂部）３３ａに、遊技盤ベース１１に設けた図示しない貫通孔へと遊技球が通行可能に二箇所開口して設けられている。
天通路３３は、図２，図３，図５に示すように、遊技盤ベース１１に係止される基部３３ｂと、該基部３３ｂの上部から前方に向けて突出するように設けた遊技球転動面３３ｃとで構成されており、前記遊技球受入口２５は、この遊技球転動面３３ｃの横方向略中央、すなわち湾曲状の遊技球転動面３３ｃの頂部３３ａに二箇所並設されている。
本実施例において前記遊技球受入口２５，２５は、天通路３３の頂部３３ａに設けられるものとしたが、限定はされずその他任意の位置でも可能である。
なお、天通路３３・基部３３ｂの形状などは特に限定されず任意である。
【００２６】
裏側通路２６は、図４，図６，図８乃至図１０，図１２及び図１３に示すように、遊技盤ベース１１の裏側の遊技領域Ｂにて、該遊技盤ベース１１の左右方向の略全域にわたる長さに延設されており、本実施例では遊技盤１０を正面から見て、遊技盤ベース１１の裏側で遊技領域側端Ａ１近傍まで左右方向に夫々一本ずつ独立して備えられており、上流側の開口（遊技球流入側）２６ｄが前記遊技球受入口２５と遊技盤ベース１１の貫通孔を介して連通し、下流側の開口（通路排出側）２６ｃが裏側ステージ２７上に臨んでいる。
本実施例では、図３に示すように、遊技盤ベース１１の表面を水平方向に二分した上方の領域Ｔ内に通過ゲート４２を備え、裏側通路２６は、図７に示すように、前記通過ゲート４２の配設位置と遊技領域側端Ａ１の間まで伸長させ、通過ゲート４２の配設位置と遊技領域側端Ａ１の間に夫々の通路排出側２６ｃを位置させて備えられている。
【００２７】
裏側通路２６は、図８，図１４乃至図１７に示すように、遊技盤ベース１１の裏側に当接して備えられるベース部材３４と、該ベース部材３４上を遊技球が転動流下可能なように覆うカバー部材３７とで構成され、遊技球受入口２５から遊技盤１０の横方向に下り傾斜状に備えられる横樋２６ａと、該横樋２６ａの下流側から遊技盤１０の下方向に向けて備えられる縦樋２６ｂとからなる正面視略逆Ｌ字形状の遊技球通路を形成している。すなわち、本実施例では、前記縦樋２６ｂが前記通過ゲート４２の配設位置と遊技領域側端Ａ１との間を通過し、該縦樋２６ｂの通路排出側２６ｃを前記両者間２６ｂ，Ａ１の間よりも下方に臨ませている。
【００２８】
ベース部材３４は、図１６及び図１７に示すように、正面視略逆Ｌ字形状の平板で、表面（外面）３４ａの長手方向（通路方向）に連続した凹溝３５を一体的に設けると共に、裏面（内面）３４ｂには、前記凹溝３５に対向する位置に、該凹溝３５の溝方向にわたって連続して延設されるリブ３６が突設されている。
【００２９】
本実施例において、リブ３６は、連続した一本のみ設けているが、リブ３６の構造は特に限定はされず、例えば複数本並設してもよく、また断続的に設けたものであってもよく、遊技球の転動に支障を及ぼさない範囲で設計変更可能である。
【００３０】
カバー部材３７は、図１５に示すように、正面視略逆Ｌ字形状で断面視略ドーム形状を有する中空に形成され、前記ベース部材３４上を覆設した際に、該ベース部材３４の表面３４ａに設けられているリブ３６との間で遊技球が転動流下可能な内部通路を構成する（図１８参照。）。なお、図中３７ａはベース部材３４を取り付けた後にその舌片３４ｃの連通孔を通して遊技盤ベース１１の裏面に裏側通路２６全体を固着させる固着片である。
【００３１】
前記裏側通路２６を遊技盤ベース１１の裏面に固着させた時、ベース部材３４の表面（凸部）３４ａは遊技盤ベース１１の裏面に接触して備えられる。
本実施例によれば、ベース部材３４の表面３４ａ（遊技盤ベース当接面）に凹溝３５を設けて該面３４ａを凹凸構造としていることにより、この凹凸構造によって通路内を通過する遊技球の衝撃を緩和する衝撃緩和構造としている。
すなわち、通路内を転動流下する遊技球は、前記リブ３６に衝突しながら転動流下する。
この時の遊技球の衝突圧は、ベース部材３４が凹凸構造を有していることで、図１８で示す矢印Ｐ方向に逃がすことが出来、遊技球衝突時の衝撃を緩和させることができる。
【００３２】
また、本実施例の凹凸構造は、図４及び図１６に示すように意匠的な装飾を裏側通路の外面に施すものでもあるため、遊技盤ベース１１を透光性部材にて構成している本実施の形態である場合、この凹凸構造によって遊技盤盤面の装飾性を向上させることができる。
なお、前記凹凸構造を構成する凹溝３５は、図１６に示す本実施例構造に限定されるものではなく、少なくとも上述した衝撃を緩和する構造を備え持つ構造であればよく、例えば、図１６に示す凹溝３５が通路方向で二つに分割されている構造であってもよく、またベース部材３４の表面３４ａに別部材で形成された凹凸構造を一体的に備えてもよく、さらに凹溝３５形状も限定されず本発明の範囲内で設計変更可能である。
【００３３】
裏側ステージ２７は、図４，図６及び図８乃至図１０に示すように、前記左右の裏側通路２６，２６の通路排出側２６ｃの下方間にわたる長さ、すなわち遊技領域Ａの両側端にわたる長さをもって延設されている。
また、本実施例の裏側ステージ２７は、上方の転動面（上方転動面ともいう。）２９と、下方の転動面（下方転動面ともいう。）３１が前後方向に位置をずらして配設された上下二段構成を採用している。前記下方転動面３１は、その前端面３１ａを遊技盤ベース１１の裏面に当接して備えられ、一方上方転動面２９は、前記下方転動面３１との間に遊技球が転動可能なスペースを備えると共に、遊技盤ベース１１の裏面との間に遊技球が落下可能なスペースを空けて下方転動面３１の上方に配設されている。
【００３４】
上方転動面２９は、図６，図８，図１４に示すように、左右の夫々の裏側通路２６，２６の通路排出側２６ｃが近接して臨む位置、すなわち遊技球の転動方向（図６にて矢印Ｆ１で示す方向と同方向）の左右両端位置にて湾曲して設けられ、前記裏側通路２６，２６の通路排出側２６ｃ，２６ｃから排出された遊技球を受ける第一の転動面２９ａ，２９ａと、該第一の転動面２９ａ，２９ａから夫々上り傾斜状に隆起させて設けられ、転動面中で最も高く備えられた第二の転動面２９ｂ，２９ｂと、該第二の転動面２９ｂ，２９ｂから夫々下り傾斜状に形成され、転動面中で最も低い位置にある第三の転動面２９ｃ，２９ｃと、該夫々の第三の転動面２９ｃ，２９ｃから僅かに上り傾斜状に隆起させて設けられた中央の転動面２９ｄとで全体凹凸面に構成されている。
また、本実施例では、前記第一の転動面２９ａから中央の転動面２９ｄまで、夫々の転動面は平坦な面で形成されると共に、前記第一の転動面２９ａと第三の転動面２９ｃ及び中央の転動面２９ｄには、夫々下方転動面３１方向へと遊技球を流下案内する凹部３０が形成されている。凹部３０は、夫々の転動面２９ａ，２９ｃ，２９ｄから前方に向けて傾斜状に形成されており、その形状及び配設数は限定されず、任意の形状で一個乃至複数個が適宜設計変更される。
【００３５】
下方転動面３１は、図６，図１３及び図１４に示すように、前記上方転動面２９よりも下方で、かつ遊技盤ベース１１の裏面方向（前方）にずれて配設されており、前記上方転動面２９の第一の転動面２９ａと同様に、左右の裏側通路２６，２６の夫々の通路排出側２６ｃ，２６ｃが近接して臨む位置に転動面３１ｂの左右両端を位置させ、該転動面３１ｂは左右両端から緩やかな下り傾斜をもって中央位置３１ｃまで延び、該中央位置３１ｃが僅かに隆起して構成されている。そして、この下方転動面３１の中央位置３１ｃの両側直近には、その前方に配設されている排出口２８に向けて下り傾斜状の凹部３２が形成されている。
【００３６】
さらに本実施例では、図１３及び図１４に示すように、前記上方転動面２９の後方には、上方転動面２９より上方に立ち上がる後面壁２９ｅを一体的に備えている。
後面壁２９ｅは、上方転動面２９よりも上方に立ち上がり、転動する遊技球の落下防止壁として作用する。なお、上方転動面２９より上方に立ち上がる後面壁２９ｅの立上り高さは、転動する遊技球が上方転動面２９より外方に落下しない程度であれば特に限定されない。
【００３７】
排出口２８は、図４，図６，図８，図１３に示すように、前記裏側ステージ２７を転動流下する遊技球を再度表側の遊技領域Ａへと排出するもので、遊技盤ベース１１に設けた図示しない貫通孔に嵌め込み固定される。
この排出口２８は、前記裏側ステージ２７の下方転動面３１の所定位置、本実施例では転動面３１ｂの中央位置３１ｃとその両側位置付近が、遊技球が転動案内可能に連通して遊技盤ベース１１の表側に貫通して配設されている。なお、排出口２８の形状及び配設箇所は限定されず本発明の範囲内で設計変更可能である。
また、本実施例では、遊技領域Ａにおける前記排出口２８の開口の水平方向略中央位置の下方には、始動入賞口１３が配置されている。
【００３８】
ここで、本実施例の弾球遊技機の作動について説明する。
まず、発射装置のハンドル７のレバー７ａを時計方向に回転させることにより、例えば内蔵する発射ソレノイドを作動させて遊技球を表側の遊技領域Ａに打ち出す。
そして遊技領域Ａに打ち出された遊技球は、遊技釘や天通路３３などの遊技部材に当たりながら転動流下する。
この時、遊技領域Ａに打ち出された遊技球が、左右いずれかの遊技球受入口２５に入球すると、遊技球は遊技球受入口２５から裏側通路（裏側の遊技領域Ｂ）２６へと転動案内され、該裏側通路２６を下流方向へと転動流下する。
【００３９】
このように裏側通路２６内を遊技球が転動流下する際、遊技球は裏側通路２６のベース部材３４内面に備えたリブ３６に衝突しつつ転動流下する。しかし、本実施例によれば、リブ３６に遊技球の球圧が掛かったとしても、その球圧は、ベース部材表面３４ａに備えた凹凸構造の凹溝３５が吸収し、その球圧を図１８で矢印Ｐ方向に逃がすことができるため、遊技球の衝突を緩和させることができる。
【００４０】
そして、裏側通路２６の横樋２６ａから縦樋２６ｂへと転動流下した遊技球は、該縦樋２６ｂの通路排出側２６ｃから裏側ステージ２７へと排出される。
裏側ステージ２７に排出された遊技球は、上方転動面２９と下方転動面３１のいずれかの転動面上に落下し、上方転動面２９に落下した遊技球は、上方転動面２９の第一の転動面２９ａから第二の転動面２９ｂを超え、第三の転動面２９ｃへと転動流下し、第三の転動面２９ｃにて凹部３０から下方転動面３１へと落下するか、第三の転動面２９ｃからさらに中央の転動面２９ｄへと転動して該中央の転動面２９ｄから下方転動面３１へと落下する。
【００４１】
なお、遊技球の転動勢いによっては、中央の転動面２９ｄを超えてその先の第三の転動面２９ｃへと転動案内されて、該第三の転動面２９ｃから下方転動面３１へと落下する。また、上方転動面２９の第一の転動面２９ａに落下した遊技球に勢いがない場合には、該第一の転動面２９ａから凹部３０を介して下方転動面３１へと落下することもある。
また、下方転動面３１を転動流下する遊技球は、中央位置３１ｃへ向けて緩やかな下り傾斜状の転動面３１ｂを転動流下し、排出口２８を介して前側の遊技領域Ａへ遊技球を排出する。
【００４２】
このように本実施例によれば、遊技球受入口２５から入球され排出口２８に至るまでの転動距離が長いため、遊技球が排出されるまでの期待感を持続させることが可能となり遊技の興趣が向上する。
また本実施例では、遊技領域Ａにおける前記排出口２８の開口の水平方向略中央位置の下方には、始動入賞口１３が配置されているため、排出口２８の中央位置から排出された遊技球は、始動入賞口１３へと入球される可能性が高くなり、遊技者は遊技球の転動方向に注目するため遊技の興趣が向上する。
「変形例」
【００４３】
上述した実施例では、表示装置８を備えた弾球遊技機をもって説明したが、本発明は表示装置８を備えない弾球遊技機をも対象とするため、表示装置を備えなくても良い。
また、上述した実施例では、透光性部材からなる遊技盤ベース（透明遊技盤ベース）１１や種々の遊技部材をもって説明したが、本発明は非透光性部材からなる遊技盤ベースを備えた弾球遊技機をも対象とするため、任意の材料（プリント板を前面に備えた合成樹脂板や木製板など）からなる遊技盤ベースが採用可能である。
【００４４】
本実施例では、裏側通路２６から排出された遊技球を受けて排出口２８へと転動案内する裏側ステージ２７を備えているが、裏側ステージ２７を備えずに、裏側通路２６をさらに長尺状に形成して排出口２８まで延設させることで裏側通路２６から直接排出口２８へと遊技球を転動案内させる構成を採用することも可能で、本発明の範囲内である。
【図面の簡単な説明】
【００４５】
【図１】本発明遊技機の一実施例を示す概略全体斜視図。
【図２】図１の遊技機の正面図。
【図３】遊技盤の正面図。
【図４】遊技盤ベースを省略した遊技盤の正面図。
【図５】図２の遊技盤の斜視図。
【図６】図６の遊技盤で遊技盤ベースを省略した斜視図。
【図７】裏側通路の縦樋の配設位置付近を拡大して示す部分正面図。
【図８】遊技盤の背面斜視図。
【図９】遊技盤の背面図。
【図１０】遊技盤から遊技盤ベースを省略した背面図。
【図１１】遊技盤の分解斜視図で、表示装置を後方に表す。
【図１２】図１１の分解斜視図から遊技盤ベースを省略した状態の分解斜視図。
【図１３】図６の遊技盤から天通路と排出口を分解した状態の斜視図。
【図１４】図６の遊技盤から裏側通路と裏側ステージを分解し、さらに裏側通路をベース部材とカバー部材に分解した状態の斜視図。
【図１５】裏側通路の分解斜視図。
【図１６】ベース部材の正面斜視図。
【図１７】ベース部材の裏面斜視図。
【図１８】裏側通路の断面図。
【符号の説明】
【００４６】
１０  遊技盤
１１  遊技盤ベース
２４  ワープ通路（ワープ装置）
２５  遊技球受入口
２６  裏側通路
２６ｃ  通路排出側
２７  裏側ステージ
２８  排出口
３４  ベース部材
３５  凹溝
３６  リブ
３７  カバー部材
Ａ  表側の遊技領域
Ｂ  裏側の遊技領域
【図１】
2006087575.tif 000003
【図２】
2006087575.tif 000004
【図３】
2006087575.tif 000005
【図４】
2006087575.tif 000006
【図５】
2006087575.tif 000007
【図６】
2006087575.tif 000008
【図７】
2006087575.tif 000009
【図８】
2006087575.tif 000010
【図９】
2006087575.tif 000011
【図１０】
2006087575.tif 000012
【図１１】
2006087575.tif 000013
【図１２】
2006087575.tif 000014
【図１３】
2006087575.tif 000015
【図１４】
2006087575.tif 000016
【図１５】
2006087575.tif 000017
【図１６】
2006087575.tif 000018
【図１７】
2006087575.tif 000019
【図１８】
2006087575.tif 000020